(57)【要約】【課題】棺の蓋を左右に移動して開くようにすることで、周囲に物があっても邪魔にならず、かつ、軽い力で外せるようにする。【解決手段】本体と蓋とからなる棺であり、蓋を左右に分割するとともに、各蓋を本体上でそれぞれ左右に移動可能に構成し、各蓋を左右に移動させると、移動した部分が側方に突出することなく、本体内が開放されるようにしたことを特徴とする棺。【選択図】  図１
2005046423.tif 000002
【特許請求の範囲】
【請求項１】
本体と蓋とからなる棺であり、蓋を左右に分割するとともに、各蓋を本体上でそれぞれ左右に移動可能に構成し、各蓋を左右に移動させると、移動した部分が側方に突出することなく、本体内が開放されるようにしたことを特徴とする棺。
【請求項２】
各蓋を、短冊片を蝶番または可撓シートによって数珠繋ぎにしたもので構成し、側方端の短冊片を本体に固定することで、移動した短冊片がアコーデオン形に折れ曲がって本体内が開放するようにした請求項１の棺。
【請求項３】
側方端の短冊片をフリーにし、移動した短冊片が逐次本体の側壁に沿って垂れ下がって本体内が開放するようにした請求項２の棺。
【請求項４】
本体内に、中に溜まった液分を外に漏らさない防水シートが敷かれる請求項１〜３いずれかの棺。
【発明の詳細な説明】
【技術分野】
【０００１】
本発明は、死体を収容する棺に関するものである。
【背景技術】
【０００２】
棺は、本体と蓋とからなるものであるが、この蓋は、下記の特許文献に見られるように、すべて一枚の板であり、この全体を取り外して本体内を開放していた。このため、力を要し、一人ではできないことがあった。また、通常、棺の周囲には多くの供物や献花が存在しており、これらが邪魔になって取り外せないといったこともあった。さらには、取り外した蓋を置く場所がないといったこともある。
【特許文献１】登録実用新案第３０３４７２１号公報
【特許文献２】登録実用新案第３０７０９６３号公報
【発明の開示】
【発明が解決しようとする課題】
【０００３】
本発明はこのような課題を解決するものであり、要するに、棺の蓋を左右に移動させて開けるものであり、この場合において、移動した蓋は側方に突出させないようにしたものである。
【課題を解決するための手段】
【０００４】
本発明は、請求項１に記載した、本体と蓋とからなる棺であり、蓋を左右に分割するとともに、各蓋を本体上でそれぞれ左右に移動可能に構成し、各蓋を左右に移動させると、移動した部分が側方に突出することなく、本体内が開放されるようにしたことを特徴とする棺を提供する。
【０００５】
そして、この具体例として、請求項２の、各蓋を、短冊片を蝶番または可撓シートによって数珠繋ぎにしたもので構成し、側方端の短冊片を本体に固定することで、移動した短冊片がアコーデオン形に折れ曲がって本体内が開放するようにした構成、また、側方端の短冊片を固定するのに代えて、請求項３の、側方端の短冊片をフリーにし、移動した短冊片が逐次本体の側壁に沿って垂れ下がって本体内が開放するようにした構成を提供する。
【発明の効果】
【０００６】
本発明によると、まず、蓋は、本体上を左右に移動して開くものであり、これにおいて、移動したものは側方に突出しないのであるから、周囲に多くの物が存在していても、開閉の邪魔にならない。また、蓋を開閉するにも、半分のものを本体上に滑らせるだけであるから、軽い力で開け閉めできる。
【発明を実施するための最良の形態】
【０００７】
本発明は、蓋を左右に分割するとともに、分割された各蓋は、本体上を左右に移動可能に構成されるものであるが、この移動した部分は、側方には突出しないようにしてある。
【実施例１】
【０００８】
図１は本発明の第１実施例を示す棺の断面図、図２は斜視図、図３は要部断面図であるが、棺Ａは、周知のように、いずれも木製に係る上方が開放した本体１と、この本体１を覆う蓋２とからなる。本発明は、この蓋２を左右に分割し、分割した蓋２、２を本体１上で左右に（長手面に向かって）移動して開くようにしたものであるが、このとき、移動した部分は、本体１の側方に突出しないようにしたのである。そのため、本例では、各蓋２、２をそれぞれ短冊片３を蝶番または可撓シート４で数珠繋ぎにしたもの（屈曲可能）で構成する。
【０００９】
本例では、蓋２の最外端にある短冊片３を本体１に釘やビス５で止めておく。したがって、分割された蓋２の最内端の短冊片３を左右にそれぞれ移動させると、各短冊片３はアコーデオンのように折れ曲がり、本体１内が開放される。このとき、蓋２が元に戻ろうとするから、この開き位置において、最内端の短冊片３を、例えば、適当な係止具、ピン、掛け金等（図示省略）で止めるようにしておけばよい。
【００１０】
さらに、蓋２を閉めた位置でも短冊片３は固定される必要がある。そこで、本例では、この操作を簡単、迅速にするため、予め孔６を穿ち、これに楔片７を差し込んで止めるようにしている（図３）。なお、固定を確実にするため、この構造は複数設けられるのが好ましい。ところで、この方法によれば、蓋２の縮小分だけ、本体１の幅が狭くなるが、この量はわずかであり、問題はない。ただし、狭くなり過ぎる場合は、それを見越して本体１の幅を広くしておけばよい。
【００１１】
一方、通常、棺Ａに備えられる構造は、そのまま用いられる。例えば、覗き窓８がそうであるが、本発明の棺Ａにおいても、覗き窓８は設けられる。ただし、本例の蓋２は、アコーデオン式に盛り上がるから、短冊片３のうち、覗き窓８が存在する部分は切り抜いておき、別体で構成した覗き窓８を蓋２を閉めたときに改めて取り付ける構造によればよい（蓋２を開けるときには外す）。このため、覗き窓８の取付けは、予め孔を形成し、これにピン等９を差し込んで止める、操作が迅速にできるものが好ましい。
【００１２】
本例では、この他に蓋２に次のような工作を施している。その一つは、蓋を開けるときに手を掛ける把手構造１０である。この把手構造１０には、把手を出したものでもよいし、凹ませて手を差し入れるものであってもよい。この把手構造１０は、複数設けておき、開けるときには、近親者等の複数の者が共同してするようにすれば、死者への哀悼の意を高めるものとなる。また、最内端の短冊片３には、孔６と楔片７を一例とする掛金構造１１が設けられているのは上記したとおりである。この掛金構造１１によれば、出棺の際の蓋２の釘付けを不要にするから、死者に苦痛を与えないという面もある。さらに、本例では、蓋２の表面に六個の六文銭１１を施している。
【００１３】
本例の棺Ａは、本体１の内部に防水シート１２が敷かれている。本体１の内部には、死者の体液や夏場であればドライアイスが溶け出した液分が溜まり、これが木製の本体１に浸潤して外表面に漏れ出てくる。これらの液分は臭気が強く、また、不衛生なものであることから、本体１の表面に滲出してこないようにする必要がある。そこで、本例では、防水シート１２を敷いてこの液分の本体１外への漏出を防いでいる。なお、この防水シート１２には種々のものがあるから、その中から適当なものを選択すればよい。
【００１４】
以上に使用される部材・部品は、すべて火葬に適したものであることが必要である。すなわち、火葬にしたときに完全に燃焼する燃焼物であること、燃焼に際して有毒成分を出さないものであること、といった条件が課される。具体的には、蝶番や可撓シートは、木製や革製といった自然素材のものが好ましいし（金属や樹脂であってはならないというのではない）、釘やピンもそうである。
【実施例２】
【００１５】
図４は本発明の第２実施例を示す棺の断面図であるが、本例のものは、蓋２を二つに分割し、各蓋２をそれぞれ短冊片３を蝶番または可撓シート４で数珠繋ぎにしたもので構成するのは同じであるが、最外端にある短冊片３をフリーにしておき、短冊片３を側方に移動させると、本体１を外れた分は、本体１の側壁に沿って垂れ下がり（簾方式）、本体１を開放するものである。この場合でも、蓋２の移動した部分は側方には突出しないから、場所をとることもない。なお、本例では、可撓シート４は一枚物を使用してあるが、部分的なものであってもよいし、個別の蝶番であってもよい。
【００１６】
なお、短冊片３の垂れ下がりを自由にしておくと、短冊片３全体ががずり落ちてしまう懸念があるから、側壁にストッパ１３を設けて移動を規制したり、最内端の短冊片３が本体１から外れるのを規制したりするストッパ（図示省略）を設けておけばよい。また、短冊片３はフリーであることから、移動中に位置がずれないようにする必要がある。図５はこの対策を示す要部の断面図であるが、本体１の短手面の内側に溝１４を形成しておき、短冊片３の端をこの溝１４に入れてこれをガイドして移動させるようにしたものである。
【００１７】
本例のものは、短冊片３を本体１の端一杯まで寄せられるから、本体１の幅を狭めないという利点がある。なお、その他の構成は実施例１と同様であるが、飾り窓８については、短冊片３と同様に屈曲できるものにしておけば、別体にする必要はない。
【図面の簡単な説明】
【００１８】
【図１】本発明の第１実施例を示す棺の斜視図である。
【図２】本発明の第１実施例を示す棺の断面図である。
【図３】本発明の第１実施例を示す棺の要部断面図である。
【図４】本発明の第２実施例を示す棺の断面図である。
【図５】本発明の第２実施例を示す棺の要部断面図である。
【符号の説明】
【００１９】
Ａ    棺
１    本体
２    蓋
３    短冊片
４    蝶番または可撓片
５    釘またはビス
６    孔
７    楔片
８    覗き窓
９    ピン
１０  把手構造
１１  掛金構造
１２  防水シート
１３  ストッパ
【図１】
2005046423.tif 000003
【図２】
2005046423.tif 000004
【図３】
2005046423.tif 000005
【図４】
2005046423.tif 000006
【図５】
2005046423.tif 000007